(57)【要約】【課題】踏台としての未使用時は収納家具の収納部内にその仕切りとして収容し、必要に応じ収容部から必要な場所へ持ち運んで踏台として利用する収納家具の仕切兼用踏台を提供する。【解決手段】踏板２と、該踏板２を支持する脚部３とから成る踏台を、収納家具Ｆの収納部Ｓに出し入れ自在、且つ持ち運び自在に収容し、収納部Ｓの仕切りと成す。【選択図】図５
2007031932.tif 000002
【特許請求の範囲】
【請求項１】
踏板と、該踏板を支持する脚部とから成り、収納家具の収納部に出し入れ自在、且つ持
ち運び自在に収容され、収納部の仕切りと成ることを特徴とする収納家具の仕切り兼用踏
台。
【請求項２】
踏台は、上方開口部を有する箱型の脚部と、該脚部の上方開口部を開閉すると共に、該
上方開口部の閉塞状態の支持手段を設けた蓋状の踏板とから成ることを特徴とする請求項
１記載の収納家具の仕切り兼用踏台。
【請求項３】
踏台は、直方形の踏板をその下方に空間を有する様に脚部で支持し、前記空間は少なく
とも前方に開放口を設け、脚部は収納部の上端より低い位置に踏板上面が配される様に高
さ設定したことを特徴とする請求項１記載の収納家具の仕切り兼用踏台。
【請求項４】
踏台は、直方形の踏板と、該踏板の下部にその四方を囲繞した脚部とから成り、上下反
転させて仕切りと成すことを特徴とする請求項１記載の収納家具の仕切り兼用踏台。
【請求項５】
踏台は、直方形の踏板と、該踏板にその下面を複数に区画する様に垂設した脚部とから
成り、上下反転させて仕切りと成すことを特徴とする請求項１記載の収納家具の仕切り兼
用踏台。
【請求項６】
踏台は、上面を踏板とした直方体から成り、該直方体の高さを収納部の高さより低く設
定したことを特徴とする請求項１記載の収納家具の仕切り兼用踏台。
【請求項７】
踏台は、踏板の上面と脚部の下面に緩衝性を有する滑り止め材を設けたことを特徴とす
る請求項１、２、３、４、５又は６記載の収納家具の仕切り兼用踏台。
【請求項８】
踏台は、立方体を除く直方体から成り、該直方体において一稜角を構成する三面のうち
少なくとも二面の夫れを踏板と成すと共に、少なくとも一組の平行関係にある四辺を収納
部の高さより短く設定し、この設定された四辺を上下方向に対応させて仕切りと成すこと
を特徴とする請求項１記載の収納家具の仕切り兼用踏台。
【請求項９】
踏台とした時の踏板の上面と脚部の下面、仕切りとした時の上下面に緩衝性を有する滑
り止め材を設けたことを特徴とする請求項８記載の収納家具の仕切り兼用踏台。
【発明の詳細な説明】
【技術分野】
【０００１】
本発明は、キャビネット等の収納家具の収納部内の仕切りとして収容され、必要に応じ
踏台として利用する様にした収納家具の仕切り兼用踏台に関する。
【背景技術】
【０００２】
特許文献１には、上面に開閉自在な蓋を踏板として配置した踏台兼用引き出し式収納庫
が開示されている。
上記収納庫は、通常は収納家具に押し入れられて収納物を保管し、収納家具の高い棚に
保管された収納物を取り出す際に引き出して踏台として利用するものである。
【特許文献１】特開２００４−２９８４３３号公報
【発明の開示】
【発明が解決しようとする課題】
【０００３】
しかしながら、上記収納庫は収納家具の一部として取付けられた言わば引き出しであっ
て、踏台として利用できるのは、その収納家具の高所に保管された収納物を取り出す時だ
けに限られ、前記収納庫が装備された収納家具の設置場所以外で踏台が必要となっても、
前記収納庫を持ち運んで利用できないので、この様な場合、自由に持ち運びできる他の踏
台を利用せねばならい。
ところで、上記持ち運び可能な踏台は、折り畳めるタイプの踏台であっても必ず未使用
時の保管場所が必要となるが、上記収納庫の様に未使用時の定まった保管場所がないので
、その踏台がきっちり納まる置き場所を探して決めねばならず、その置き場所が決まって
も他の収納物との兼ね合いで入れ方を工夫せねばならないなどの手間がかかるといった課
題を有している。
そこで、本発明は、踏台としての未使用時は収納家具の収納部内に保管できると共に、
その保管状態でも前記収納部の仕切りとして利用できる様にし、必要に応じ前記収容部か
ら必要な場所へ持ち運んで踏台として利用できる収納家具の仕切兼用踏台を提供すること
を目的とする。
【課題を解決するための手段】
【０００４】
本発明は、上記課題に鑑み、踏板と、該踏板を支持する脚部とから成る踏台を、収納家
具の収納部に出し入れ自在、且つ持ち運び自在に収容し、収納部内の仕切りとしたことを
特徴とする。
そして、踏台の具体的な形態としては、上方開口部を有する箱型の脚部と、該脚部の上
方開口部を開閉すると共に、該上方開口部の閉塞状態の支持手段を設けた蓋状の踏板とか
ら成ることを特徴としている。
又、踏台は、直方形の踏板を、その下方に空間を有する様に脚部で支持し、前記空間は
少なくとも前方に開放口を設け、脚部は収納部の上端より低い位置に踏板上面が配される
様に高さ設定したことを特徴とするものでもよい。
又、踏台は、直方形の踏板と、該踏板の下部にその四方を囲繞した脚部とから成り、上
下反転させて仕切りと成すことを特徴とするものでもよい。
又、踏台は、直方形の踏板と、該踏板にその下面を複数に区画する様に垂設した脚部と
から成り、上下反転させて仕切りと成すことを特徴とするものでもよい。
更に、踏台は、上面を踏板とした直方体から成り、該直方体の高さを収納部の高さより
低く設定したことを特徴とするものでもよい。
そして、上記の各踏台では、踏板の上面と脚部の下面に緩衝性を有する滑り止め材を設
けるのがより良い。
又、踏台は、立方体を除く直方体から成り、該直方体において一稜角を構成する三面の
うち少なくとも二面の夫れを踏板と成すと共に、少なくとも一組の平行関係にある四辺を
収納部の高さより短く設定し、この設定された四辺を上下方向に対応させて仕切りと成す
ことを特徴としても良く、この場合、踏板とした時の踏板の上面と脚部の下面、仕切りと
した時の上下面に緩衝性を有する滑り止め材を設けるのがより良い。
【発明の効果】
【０００５】
要するに請求項１に係る発明によれば、通常は収納家具の収納部にきっちり収容でき、
その保管場所が定められているので、踏台の保管可能な置き場所を探し出して入れ方など
を工夫する様な手間を要しない。
その上、踏台の収納部の収容状態においては、収納部内の収納物を区分する仕切りとな
るので、収容部内の収容物の整理整頓に役立てることができる。
しかも、踏台が必要な際には、これを収納部から取り出し、必要な場所まで自由に持ち
運んで踏台として利用でき、その利用後は、収納部に上記の如く仕切りとして収容保管で
きるので便利である。
【０００６】
請求項２に係る発明では、踏台は、上方開口部を有する箱型の脚部と、該脚部の上方開
口部を開閉すると共に、該上方開口部の閉塞状態の支持手段を設けた蓋状の踏板とから成
るので、収納部内における踏台の収容状態では、踏台が蓋付きの箱型の容器として収納部
の仕切りと成すことができ、その中に収納物を保管できる。
又、踏台として利用する際には、内部に収納物を保管した状態で踏台を収納部から取り
出して所定場所へ持ち運び、踏板を足場とした踏台として機能させることができ、かかる
状態において、踏板は脚部の上方開口部上に単に載せられたのではなく、支持手段により
脚部の上方開口部の閉塞状態を安定保持できるので、踏板上で利用者が動いてもズレ動か
ず、安心して踏板上での作業が行える。
【０００７】
請求項３に係る発明によれば、踏台は、直方形の踏板をその下方に空間を有する様に脚
部で支持し、前記空間は少なくとも前方に開放口を設け、脚部は収納部の上端より低い位
置に踏板上面が配される様に高さ設定したので、収納部における収容状態では、踏板の下
方空間をその開放口から収納物を出し入れ可能な収納空間と成すと共に、該収納空間上の
踏板を収納物を載置する収納部の棚とした仕切りと成すことができる。
そして、踏台として利用する際には、棚と化した踏板上の収納物を一旦取り除いた上で
、踏台を収納部から取り出して所定場所へ持ち運び、踏板を足場とした踏台として機能さ
せることができる。
【０００８】
請求項４に係る発明によれば、踏台は、直方形の踏板と、該踏板の下部にその四方を囲
繞した脚部とから成り、収容部における収容状態では倒置することにより、上方開放され
た容器として収納部の仕切りと成すことができ、その中に収納物を保管できる。
又、踏台として利用する際には、仕切り容器と化した倒置状態の踏台内から収納物を一
旦取り出した上で、踏台を収納部から取り出して所定場所へ持ち運び、踏板を上向きにし
てこれを足場とした踏台として機能させることができる。
【０００９】
請求項５に係る発明によれば、踏台は、直方形の踏板と、該踏板にその下面を複数区画
する様に垂設した脚部とから成り、収容部における収容状態では倒置することにより、上
下反転された踏板上に立設支持された脚部が収納部内を区分する仕切りと成すことができ
る。
又、踏台として利用する際には、反転状態の踏板上に配された収納物だけを一旦取り除
いた上で、踏台を収納部から取り出して所定場所へ持ち運び、踏板を上向きにしてこれを
足場とした踏台として機能させることができる。
【００１０】
請求項６に係る発明によれば、踏台は、上面を踏板とした直方体から成り、該直方体の
高さを収納部の高さより低く設定したので、収納部における収容状態では、踏板上に収納
物を載置し、収納部を上下に区分けする台座としての仕切りと成すことができる。
又、踏台として利用する際には、踏板上に載置された収納物を一旦取り除いた上で、踏
台を収納部から取り出して所定場所へ持ち運び、踏板を足場とした踏台として機能させる
ことができる。
【００１１】
請求項７に係る発明によれば、上記の各踏台では、踏板の上面及び脚部の下面に緩衝性
を有する滑り止め材を設けたので、収納部に仕切りとして踏台を収容した状態において、
収納部内でズレ動かず、例え収納部が引き出しの様に収納家具から出し入れされるもので
あっても、安定して収納部内を仕切ることができ、又滑り止め材の緩衝性により踏台を収
納部から出し入れる際に収納部を傷つけることもない。
又、踏台として利用する場合にも、踏板上で作業する利用者の足が滑らず、又床に接地
する脚部が滑り動かないので、安全で安定した踏台として機能すると共に、床を傷つける
ことがない。
【００１２】
請求項８に係る発明によれば、踏台は、立方体を除く直方体から成り、該直方体におい
て一稜角を構成する三面のうち少なくとも二面の夫れを踏板と成したので、踏台とする場
合、踏板の高さが異なる少なくとも２通りの踏台の利用が可能で、利用者は状況に応じそ
の高さを選択できる。
又、上記直方体において少なくとも一組の平行関係にある四辺を収納部の高さより短く
設定し、この設定された四辺を上下方向に対応させて仕切りと成したので、上面に収納物
を載置し、収納部を上下に区分けする台座としての仕切りと成すことができ、収納部の高
さより短い四辺を二組以上設定すれば、収納部内での台座としての高さや収納物を載置す
る上面の面積を選択でき、収納部の大きさや収納物の大きさ及び配列などに合わせたバリ
エーションに富んだ整理が可能となる。
【００１３】
請求項９に係る発明によれば、踏板の高さが異なる少なくとも２通りの踏台の利用時の
いずれの場合にも、踏板と脚部と成る面には緩衝性を有する滑り止め材が有し、又仕切り
とした時の上下面に緩衝性を有する滑り止め材が有するので、請求項７と同様なる効果を
奏する等その実用的効果甚だ大である。
【発明を実施するための最良の形態】
【００１４】
以下本発明の実施の形態としての実施例を図面に基づいて説明する。
本発明に係る仕切り兼用踏台の本体１は、踏板２と、該踏板２を支持する脚部３とから
成り、収納家具Ｆの収納部Ｓに出し入れ自在且つ持ち運び自在に収容され、その収容状態
で収納部Ｓ内を区分する仕切りと成る。
収納家具Ｆは、図５に示す様に、本体１を仕切りとして収容可能な空間を有する引き出
し式、扉式の収納部Ｓを設けたキャビネットや、図９に示す様に、前記と同様なる空間を
有する開放式の収納部Ｓを設けたワゴンを例に挙げているが、これらに限定されることな
く、要するに本体１を収容可能な空間を有する収納部Ｓを設けた収納家具Ｆであれば良く
、該収納家具Ｆに設けた収納部Ｓの形式も引き出し式等に限定されず、例えば図示しない
引き戸式のものであっても良い。
【００１５】
本体１を収納部Ｓに収容して仕切りと成す場合、その本体１の形態や収納部Ｓへの設置
状態によって、仕切りの形式が異なる。
以下本体１の構成を実施例を挙げて詳述する。
【実施例１】
【００１６】
図１、２に示す実施例１の本体１は、直方形板を組んで形成した上方開口部４を有する
箱型の脚部３と、該脚部３の上方開口部４を開閉すると共に、該上方開口部４の閉塞状態
の支持手段５を設けた蓋状の踏板２とから成る。
踏板２は、脚部３の上面に対応した直方形板から成り、該踏板２の下面には、上方開口
部４に対応した所定肉厚の中蓋を固定しており、該中蓋を脚部３の上方開口部に嵌合させ
ることで踏板２の上方開口部４の閉塞状態を安定保持する支持手段５と成している。
又、踏板２の上面及び脚部３の下面には、緩衝性を有する合成ゴムシートなどから成る
滑り止め材６、6aを接着している。
【００１７】
図３、４に本体１の踏板２の変形例を示す。
図３に示す本体１の踏板２は、脚部３の上面の一端に踏板２が開閉自在にヒンジ連結し
たものであり、踏板２と脚部３を連結したヒンジを踏板２の上方開口部４の閉塞状態を安
定保持する支持手段５と成している。
図４に示す本体１の踏板２は、脚部３全体を被冠する様にした被せ蓋から成り、踏板２
による脚部３の被冠状態で、脚部３の四面に密接する踏板２の垂下壁を踏板２の上方開口
部４の閉塞状態を安定保持する支持手段５と成している。
【００１８】
上記の様に構成された本体１は、図５に例示する様に、収納部Ｓの適所に配置すること
により、本体１が蓋付きの箱型の容器として収納部Ｓの内部との仕切りと成り、仕切り容
器と化した脚部３内に収納物を保管する。
かかる状態において、脚部３の滑り止め材6aが収納部Ｓの底に接しているため、収納部
Ｓ内を区分する安定した仕切りとなり、例えば図５に示す引き出し式の収納部Ｓや図９に
示す移動式の収納家具Ｆの収納部Ｓに仕切りとして収納された場合であっても、収納部Ｓ
又は収納家具Ｆ自体の移動で本体１が滑り動くことがなく、又滑り止め材6aは緩衝性を有
するため、本体１を収納部Ｓに出し入れする際に収納部Ｓを傷つけることもない。
本体１を踏台として利用する際には、脚部３内に収容物を保管した状態で本体１を収納
部Ｓから取り出し、所望の場所へ持ち運び、踏板２を足場とした踏台として機能させられ
る。
かかる状態において、支持手段５により踏板２は上方開口部４を閉塞した状態からズレ
動くことがなく、又踏板２上の滑り止め材６によって、利用者の足を滑らすこともない。
更に、脚部３の滑り止め材6aが床に接するので、踏板２を踏み込む際や踏板２上に立っ
てもずれ動かないし、床を傷つけることがない。
尚、本実施例では、本体１を立方体と成したものを示したが、他の直方体であってもよ
い。
【００１９】
以下では実施例２〜６の本体１について説明するが、各実施例において実施例１と同一
又は相当部分には同じ符号を付し、説明を省略する。
【実施例２】
【００２０】
図６に示す実施例２の本体１は、直方形の踏板２を、その下方に空間７を有する様に、
踏板２下面の４隅を棒状の脚部３で支持しており、該脚部３は収納部Ｓの上端Ｓ１より低
い位置に踏板２（滑り止め材６）上面が配される様に高さ設定している。
そして、隣接する脚部３間には、踏板２の下方空間７の開放口８を設けており、この場
合、開放口８は本体１の四方に有することになる。
【００２１】
上記下方空間７は少なくとも前方に開放口８を有すれば良く、脚部３を図７に示す変形
例の様に成しても良い。
図７で示す本体１の脚部３は、直方形板をコ字状に組んで踏板２下面に固定したもので
あり、踏板２の下方空間７は本体１の前方に開放口８を設けている。
尚、本実施例における踏板２は、図６、７に示す様な正方形に限らず、矩形状に形成し
ても良い。
又、脚部３の形状は上記に限定されず、脚部３が下方空間７を有する様に踏板２を支持
すると共に、収納部Ｓの上端Ｓ１より低い位置に踏板２上面が配される様に高さ設定した
ものであれば良いので、例えば、脚部３は図10に示す様な直方形板を十字状に組んだもの
、或いは図12に示す様な直方形板をＨ字状に組んだものでも良い。
【００２２】
上記の様に構成された本体１を収納部Ｓの適所に配置することにより、本体１は踏板２
の下方空間７を前方に有する開放口８から出し入れ可能な収納物の収納空間とすると共に
、該収納空間上方であって収納部Ｓの上端Ｓ１より低い位置に配される踏板２を収納部３
の棚とする仕切りと成る。
又、特に、図７に示す本体１では、脚部３が収納部Ｓ内を踏板２の下方空間７と区分す
る仕切りとも成る。
かかる状態では、滑り止め材６によって踏板２上に載置される収納物を滑り止めし、踏
板２からの落下を防止し、脚部３の滑り止め材6aは実施例１と同様に機能する。
本体１を踏台として利用する際は、踏板２上の収納物を一旦別所に移した上で収納部Ｓ
から取り出して使用する。
尚、踏台とした時の滑り止め材６、6aの機能は実施例１と同様なため説明は省略する。
又、本実施例では、図６、７において２点鎖線で示した収納部Ｓは、図５に示す収納家
具Ｆにおける引き出し式、又は扉式の収納部Ｓの一部を示しているが、上述した様に、収
納部Ｓは図示のものに限定されない。
【実施例３】
【００２３】
図８に示す実施例３の本体１は、直方形の踏板２と、該踏板２の下部にその四方を直方
形板で囲繞する様に固設した脚部３とから成り、上下反転して仕切りと成している。
尚、本体１は図示例の底を有しない立方体に限らず、底を有しない直方体に形成しても
良い。
この本体１は、図９に例示する様に、収容部Ｓ内の適所で倒置され、上方開放された容
器として収納部Ｓの内部との仕切りと成り、その中に収納物を保管する。
かかる状態では、踏板２上の滑り止め材６が収納部Ｓの底に接しているため、収納家具
Ｆを移動させても本体１が滑り動くことがなく、又滑り止め材６は緩衝性を有するため、
本体１を収納部Ｓより出し入れする際に収納部Ｓを傷つけることもない。
本体１を踏台として利用する際には、仕切り容器と化した倒置状態の本体１内から収納
物を一旦取り出し、踏板２を上向きに反転して使用する。
尚、踏台とした時の滑り止め材６、6aの機能は、実施例１、２と同様なため説明は省略
する。
又、本実施例においては、本体１を仕切りとして収容した収納部Ｓは、移動式の収納家
具（ワゴン）Ｆにおいて左右に開放口を有する様に設けたものを示したが、本体１を収容
する収納部Ｓは上記各実施例同様に図示のものに限定されず、図５に示す引き出し式や扉
式のいずれの収納部Ｓであっても良い。
【実施例４】
【００２４】
図10に示す実施例４の本体１は、直方形の踏板２と、該踏板２の下面に直方形板を十字
に組んで垂設した脚部３とから成り、該脚部３により踏板２の下面を複数（図示例では４
区分）に区画し、上下反転させて仕切りと成している。
尚、踏板２は図示例の正方形に限らず、矩形状に形成しても良い。
又、脚部３の形状は上記に限定されず、例えば図12に示す変形例の様に、直方形板をＨ
字状に組んだものであっても良く、この場合、踏板２の下面は脚部３により２区分に区画
される。
【００２５】
上記の様に構成された本体１は、収容部Ｓ内の適所で倒置され、上下に反転された踏板
２上に立設支持される脚部３により収納部Ｓ内を区分する仕切りと成る（図11、13参照）
。
かかる状態では、踏板２上の滑り止め材６が収納部Ｓの底に接し、実施例３と同様に機
能する。
又、本体１を踏台として利用する際には、反転状態の踏板２上に配された収納物だけを
一旦取り出し、踏板２を上向きに反転して使用する。
尚、踏台とした時の滑り止め材６、6aの機能は、上記各実施例と同様なため説明は省略
する。
本実施例にあっては、図５の収納家具Ｆに示す様な引き出し式の収納部Ｓに本体１を仕
切りとして収容した状態を示したが、上記各実施例同様に、収納部Ｓは図示のものに限定
されない。
又、図11、13では踏板２の長さと収納部Ｓの奥行きとを対応させたものを示したが、踏
板２の長さは、収納部Ｓの奥行きより短くても良い。
【実施例５】
【００２６】
図14に示す実施例５の本体１は、直方形板を組んで形成した直方体から成り、該直方体
の上面を踏板２とすると共に、該踏板２を除く部分を脚部３としており、直方体の高さ（
脚部３の長さ）を収納部Ｓの高さより低く（短く）設定している。
尚、本実施例では、本体１を立方体と成したものを示したが、他の直方体であってもよ
い。
上記の様に構成された本体１は、収納部Ｓの適所に配置することにより、収納部Ｓの上
端Ｓ１より低い位置に踏板２が配され、該踏板２上に収納物を載置し、収納部Ｓを上下に
区分する台座としての仕切りと成る。
本体１を仕切りとした時の踏板２及び脚部３の滑り止め材６、6aの機能は実施例２と同
様なため説明は省略する。
本体１を踏台として利用する際も、実施例２と同様に踏板２上の収納物を一旦別所に移
した上で収納部Ｓから取り出して使用する。
踏台とした時の滑り止め材６、6aの機能については上記各実施例と同様なため説明は省
略する。
又、本実施例においては、図14において２点鎖線で示した収納部Ｓは、実施例２と同様
に図５に示す収納家具Ｆにおける引き出し式、又は扉式の収納部Ｓの一部を示しているが
、上述した様に、収納部Ｓは図示のものに限定されない。
尚、本実施例のものは、実施例１に示す本体１において、該本体１の高さを収納部Ｓの
高さより低く設定したものでも良い。
【実施例６】
【００２７】
図15、16に示す実施例６の本体１は、直方形板を組んで形成した立方体を除く直方体か
ら成り、一稜角９を構成する三面Ｘ、Ｙ、Ｚのうち少なくとも二面（図示例ではＸ、Ｙ面
）の夫れを踏板２と成すと共に、少なくとも一組の平行関係にある四辺10、10ａ…を収納
部Ｓの高さより短く設定し、この設定された四辺10、10ａ…を上下方向に対応させて仕切
りと成している。
即ち、本体１のＸ面を踏板２とした踏台では、Ｙ、Ｚ面とその反対面が脚部３と成ると
共に、Ｘ面の反対面が脚部３の下面と成り（図15参照）、本体１のＹ面を踏板２とした踏
台では、Ｘ、Ｚ面とその反対面が脚部３と成ると共に、Ｙ面の反対面が脚部３の下面と成
る（図16参照）。
又、本体１を仕切りとした時の上面及び下面は、Ｘ面とその反対面と成る（図15参照）
。
そして、本体１は、踏台とした時の踏板２の上面（Ｘ面及びＹ面）と脚部３の下面（Ｘ
面とＹ面の各反対面）、仕切りとした時の上下面（Ｘ面とその反対面）に緩衝性を有する
滑り止め材６、6aを設けている。
尚、本実施例では、図15において上下方向に対応した四辺10、10ａ…を収納部Ｓの高さ
より短く設定し、本体１を踏台とした時の一方の踏板２と、仕切りとした時の上面が共通
してＸ面となる様にしたものを示したが、同図においてＸ、Ｙ面の交わる一辺と平行関係
にある他の三辺を収納部Ｓの高さより短く設定した場合には、図中のＺ面が仕切りとした
時の上面、Ｚ面の反対面が仕切りとした時の下面となり、この場合、六面全体に滑り止め
材６、6aが設けられることになる。
又、一稜角９を構成する三面Ｘ、Ｙ、Ｚの夫れの大きさが異なり、その三面Ｘ、Ｙ、Ｚ
全てを踏板２と成した場合には、３通りの高さの異なる踏台の利用が可能となり、その踏
板２のうち少なくとも一面が仕切りと成した時の上面となる。
又、三組の平行関係にある四辺を収納部Ｓの高さより短く設定した場合、いずれの面も
仕切りとした時の上面と成り得る。
【００２８】
上記の様に構成された本体１は、図15に示す様に、収納部Ｓの高さより短く設定された
平行関係にある四辺10、10ａ…を上下方向に対応させて収容部Ｓ内の適所に配置すること
により、収納部Ｓの上端Ｓ１より低い位置に、かかる状態における上面（Ｘ面）が配され
、該Ｘ面上に収納物を載置し、収納部Ｓを上下に区分けする台座としての仕切りと成る。
そして、上記の様に仕切りと化した本体１の上面（Ｘ面）及び下面（Ｘ面の反対面）に
は、滑り止め材６、6aを夫れ設けているので、上面の滑り止め材６によってその上に載置
される収納物を滑り止めして上面からの落下を防止し、下面の滑り止め材６によって、上
記他の実施例同様に収納部Ｓ内での本体１の滑り止めと、収納部Ｓの損傷を防止している
。
又、本体１は立方体を除く直方体から成るので、該直方体において、相互に長さの異な
る二組の平行関係にある四辺10、10ａ…を収納部Ｓの高さより短く設定すれば、収納部Ｓ
内での台座としての高さや収納物を載置する上面の面積が異なる２通りの仕切りとしての
利用が可能であり、又直方体において三組の平行関係にある四辺10、10ａ…が相互に長さ
が異なり、各組の四辺10、10ａ…を収納部Ｓの高さより短く設定すれば、３通りの仕切り
としての利用が可能となる。
【００２９】
本体１を踏台として利用する際は、仕切りとした時の本体１の上面（Ｘ面）に載置した
収納物を別所に移した上で本体１を収納部Ｓから取り出し、Ｘ、Ｙ面のいずれかを上向き
にして踏板２と成して使用する。
本体１は立方体を除く直方体から成るので、図示例の様に大きさの異なるＸ、Ｙ面を踏
板２に設定すれば、高さの異なる２通りの踏台としての利用が可能となり、又本体１にお
いてＸ、Ｙ、Ｚ面の大きさが相互に異なる場合に、各三面Ｘ、Ｙ、Ｚを踏板２とすれば、
高さの異なる３通りの踏台としての利用が可能となる。
尚、踏台とした時の滑り止め材６、6aの機能については、上記各実施例と同様なため説
明は省略する。
又、本実施例においては、図15において２点鎖線で示した収納部Ｓは、実施例２、５と
同様に図５に示す収納家具Ｆにおける引き出し式、又は扉式の収納部Ｓの一部を示してい
るが、上述した様に、収納部Ｓは図示のものに限定されない。
【図面の簡単な説明】
【００３０】
【図１】仕切り兼用踏台の斜視図である。
【図２】踏板を取り外した状態を示す斜視図である。
【図３】実施例１の変形例であり、踏板を開放した状態を示す斜視図である。
【図４】実施例１の他の変形例であり、踏板を取り外した状態を示す斜視図である。
【図５】実施例１の仕切り兼用踏台を仕切りとした時の一例を示す斜視図である。
【図６】実施例２の仕切り兼用踏台の斜視図である。
【図７】実施例２の変形例を示す斜視図である。
【図８】実施例３の仕切り兼用踏台の斜視図である。
【図９】図８の仕切り兼用踏台を仕切りとした時の一例を示す斜視図である。
【図１０】実施例４の仕切り兼用踏台の斜視図である。
【図１１】図１０の仕切り兼用踏台を仕切りとした時の一例を示す平面図である。
【図１２】実施例４の変形例を示す斜視図である。
【図１３】図１１の仕切り兼用踏台を仕切りとした時の一例を示す平面図である。
【図１４】実施例５の仕切り兼用踏台の斜視図である。
【図１５】実施例６の仕切り兼用踏台の斜視図である。
【図１６】他の踏板を上向きした仕切り兼用踏台の斜視図である。
【符号の説明】
【００３１】
２          踏板
３          脚部
４          上方開口部
５          支持手段
６、6a      滑り止め材
７          空間
８          開放口
９          一稜角
10、10ａ…  四辺
Ｆ          収納家具
Ｓ          収納部
Ｓ１        上端
【図１】
2007031932.tif 000003
【図２】
2007031932.tif 000004
【図３】
2007031932.tif 000005
【図４】
2007031932.tif 000006
【図５】
2007031932.tif 000007
【図６】
2007031932.tif 000008
【図７】
2007031932.tif 000009
【図８】
2007031932.tif 000010
【図９】
2007031932.tif 000011
【図１０】
2007031932.tif 000012
【図１１】
2007031932.tif 000013
【図１２】
2007031932.tif 000014
【図１３】
2007031932.tif 000015
【図１４】
2007031932.tif 000016
【図１５】
2007031932.tif 000017
【図１６】
2007031932.tif 000018